(57)【要約】【課題】  シアン、マゼンタおよびイエローの３色および該３色とは色相が異なる特色のインクを用いる場合において、記録媒体上の同一記録領域に対するパス数を変更可能に構成することで高速化を図りつつ、特色インクにて表現される色域部分での発色性を向上させて高画質化を図る。【解決手段】  品位情報と対応づけられたパス数の多少に応じて特色インクの使用・不使用を切換える。この際、データ生成処理速度としてそれ程高いレベルは要求されず、かつ特色インクにより表現される色域部分の発色性を十分なものにすることができる場合、すなわちパス数が比較的多いモードの場合、特色インクを使用することで色再現域を拡張し高画質化を達成する。一方データ生成処理速度としてかなり高いレベルが要求される場合、すなわちパス数が比較的少ないモードの場合、特色インクを不使用にすることで使用可能なインクの色の数を少なくし、データ処理速度を維持し高速化を達成する。【選択図】  図１１
2005059363.tif 000002
【特許請求の範囲】
【請求項１】
シアン、マゼンタおよびイエローの３色および該３色とは色相が異なる特色のインクを吐出可能な記録ヘッドを、記録媒体の同一領域に対して相対的に複数回主走査させながら記録を行うインクジェット記録方法であって、
前記主走査の回数に対応した情報を取得する工程と、
当該取得した情報に対応した回数だけ前記記録ヘッドを前記同一領域に対して主走査させて前記記録媒体に記録を行う工程とを具え、
該記録工程では、前記取得した情報に対応した回数が所定の回数以下である場合、前記特色のインクを使用せずに記録を行い、前記取得した情報に対応した回数が前記所定の回数より多い回数である場合、前記特色のインクの使用を許容して記録を行うことを特徴とするインクジェット記録方法。
【請求項２】
シアン、マゼンタおよびイエローの３色および該３色とは色相が異なる特色のインクを吐出可能な記録ヘッドを、記録媒体の同一領域に対して相対的に複数回主走査させながら記録を行うインクジェット記録方法であって、
異なる複数の前記主走査の回数に対応した複数の情報の中から、一つを選択する工程と、
当該選択した情報に対応した回数だけ前記記録ヘッドを前記同一領域に対して主走査させて前記記録媒体に記録を行う工程とを具え、
前記選択工程において選択した情報に対応した前記主走査の回数が所定の回数以下である場合、前記記録工程において前記特色のインクの使用が許容されず、前記選択工程において選択した情報に対応した前記主走査の回数が前記所定の回数より多い回数である場合、前記記録工程において前記特色のインクの使用が許容されることを特徴とするインクジェット記録方法。
【請求項３】
前記主走査の回数に対応した情報とは、画像の記録品位に関する情報と記録媒体の種類に関する情報との少なくとも一つであり、該少なくとも一つの情報に基づいて前記主走査の回数が定められることを特徴とする請求項１または２に記載のインクジェット記録方法。
【請求項４】
シアン、マゼンタおよびイエローの３色および該３色とは色相が異なる特色のインクを吐出するための複数の吐出口が配列された記録ヘッドを前記配列方向とは異なる方向に記録媒体に対して相対的に主走査させる主走査動作と、前記記録媒体を前記主走査の方向と直交する方向へ前記記録ヘッドに対し相対的に副走査させる副走査動作とを繰り返しながら、前記記録媒体に記録を行うインクジェット記録方法であって、
前記記録媒体の同一領域に対し前記記録ヘッドを第１の回数だけ主走査させて当該同一領域に対する記録を行う第１の記録モードと、前記記録媒体の同一領域に対し前記記録ヘッドを前記第１の回数よりも多い第２の回数だけ主走査させて当該同一領域にする記録を行う第２の記録モードとを含む複数の記録モードのうち、記録に使用する１つの記録モードを選択する工程と、
当該選択した記録モードにて記録を行う工程とを具え、
前記記録工程では、前記第１の記録モードが選択された場合、前記特色のインクを使用せずに記録を行い、前記第２の記録モードが選択された場合、前記特色のインクの使用を許容して記録を行うことを特徴とするインクジェット記録方法。
【請求項５】
前記記録ヘッドは、さらに、ブラックのインク、前記シアンのインクと同系色であって且つそれよりも濃度が低い淡シアンのインク、および前記マゼンタのインクと同系色であって且つそれよりも濃度が低い淡マゼンタのインクを吐出可能であり、
前記記録工程では、前記第１の記録モードが選択された場合、前記シアン、前記マゼンタ、前記イエロー、前記ブラック、前記淡シアンおよび前記淡マゼンタのインクを用いて記録を行い、前記第２の記録モードが選択された場合、前記シアン、前記マゼンタ、前記イエロー、前記ブラック、前記淡シアン、前記淡マゼンタのインクおよび前記特色のインクを用いて記録を行うことを特徴とする請求項４に記載のインクジェット記録方法。
【請求項６】
シアン、マゼンタおよびイエローの３色および該３色とは色相が異なる特色のインクを吐出するための複数の吐出口が配列された記録ヘッドを前記配列方向とは異なる方向に記録媒体に対して相対的に主走査させる主走査動作と、前記記録媒体を前記主走査の方向と直交する方向へ前記記録ヘッドに対し相対的に副走査させる副走査動作とを繰り返しながら、前記記録媒体に記録を行うインクジェット記録方法であって、
前記記録媒体の同一領域に対し前記記録ヘッドを第１の回数だけ主走査させて当該同一領域に対する記録を行う第１の記録モードと、前記記録媒体の同一領域に対し前記記録ヘッドを前記第１の回数よりも多い第２の回数だけ主走査させて当該同一領域にする記録を行う第２の記録モードとを含む複数の記録モードのうち、記録に使用する１つの記録モードを選択する工程と、
当該記選択した記録モードに対応したインクの色データを生成する工程と、
当該生成された色データに基づいて記録を行う工程とを具え、
前記データ生成工程では、前記第１の記録モードが選択された場合、前記特色のインクの色データは生成せず、前記第２の記録モードが選択された場合、前記特色のインクの色データを生成可能であることを特徴とするインクジェット記録方法。
【請求項７】
前記データ生成工程では、ＲＧＢの多値データを、前記選択した記録モードに対応したインクの色の多値データに変換することを特徴とする請求項６に記載のインクジェット記録方法。
【請求項８】
前記記録モードの選択は、画像の品位に関する情報および記録媒体の種類に関する情報の少なくとも１つを選択することで実行されることを特徴とする請求項４乃至７のいずれかに記載のインクジェット記録方法。
【請求項９】
前記特色のインクは、ＣＩＥ−Ｌ＊ａ＊ｂ＊色空間において、シアン、マゼンタおよびイエローの３原色のうちの任意の２色の組み合わせにより記録媒体上に表現される色再現領域よりも高い明度を表現でき、且つ前記任意の２色の組み合わせにより表現される色再現領域内の色相角を示す色のインクであることを特徴とする請求項１ないし８のいずれかに記載のインクジェット記録方法。
【請求項１０】
前記特色のインクは、シアンの色相角とマゼンタの色相角との間の色相角を示すブルーのインク、シアンの色相角とイエローの色相角との間の色相角を示すグリーンのインク、および、イエローの色相角とマゼンタの色相角との間の色相角を示すレッドのインクのうちの少なくとも１つであることを特徴とする請求項１ないし９のいずれかに記載のインクジェット記録方法。
【請求項１１】
前記記録媒体上の同一領域とは、前記記録ヘッドの１つの吐出口が１回の主走査で記録可能な領域であることを特徴とする請求項１ないし１０のいずれかに記載のインクジェット記録方法。
【請求項１２】
前記記録媒体上の同一領域とは、前記記録ヘッドの同色のインクを吐出する複数の吐出口の全てが１回の主走査で記録可能な領域であることを特徴とする請求項１ないし１０のいずれかに記載のインクジェット記録方法。
【請求項１３】
シアン、マゼンタおよびイエローの３色および該３色とは色相が異なる特色のインクを吐出可能な記録ヘッドを、記録媒体の同一領域に対して相対的に複数回主走査させながら記録を行うために、
前記主走査の回数に関する情報を取得する工程と、
当該取得した情報に対応した回数が所定の回数以下である場合、前記特色のインクに対応したデータは生成せずに前記３色のインクに対応したデータを生成し、前記取得した情報に対応した回数が前記所定の回数より多い回数である場合、前記特色のインクおよび前記３色のインクに対応したデータを生成するデータ生成工程と、
をコンピュータに実行させることを特徴とするプログラム。
【請求項１４】
シアン、マゼンタおよびイエローの３色および該３色とは色相が異なる特色のインクを吐出可能な記録ヘッドを、記録媒体の同一領域に対して相対的に複数回主走査させながら記録を行うために、
前記記録媒体の同一領域に対し前記記録ヘッドを第１の回数だけ主走査させて当該同一領域に対する記録を行う第１の記録モードと、前記記録媒体の同一領域に対し前記記録ヘッドを前記第１の回数よりも多い第２の回数だけ主走査させて当該同一領域にする記録を行う第２の記録モードを含む複数の記録モードのうち、選択された１つの記録モードに関する情報を取得する工程と、
当該取得した情報が前記第１の記録モードに関する情報の場合、前記特色のインクに対応したデータは生成せずに前記３色のインクに対応したデータを生成し、前記取得した情報が前記第２の記録モードに関する情報の場合、前記特色のインクおよび前記３色のインクに対応したデータを生成するデータ生成工程と、
をコンピュータに実行させることを特徴とするプログラム。
【請求項１５】
シアン、マゼンタおよびイエローの３色および該３色とは色相が異なる特色のインクを吐出可能な記録ヘッドを、記録媒体の同一領域に対して相対的に複数回主走査させながら記録を行うインクジェット記録装置であって、
前記記録媒体の同一領域に対し前記記録ヘッドを第１の回数だけ主走査させて当該同一領域に対する記録を行う第１の記録モードと、前記記録媒体の同一領域に対し前記記録ヘッドを前記第１の回数よりも多い第２の回数だけ主走査させて当該同一領域にする記録を行う第２の記録モードとを含む複数の記録モードを実行可能であり、
前記第１の記録モードが選択された場合、前記特色のインクを使用せずに記録を行い、前記第２の記録モードが選択された場合、前記特色のインクの使用をして記録を行う手段を具えたことを特徴とするインクジェット記録装置。
【発明の詳細な説明】
【技術分野】
【０００１】
本発明は、インクジェット記録方法、該方法を実施するためのプログラムおよびインクジェット記録装置に関し、詳しくは減法混色の３原色の記録剤（インク）と、これらとは色相の異なる特色の記録剤（インク）とを用いるインクジェット記録装置を含むシステムに適用可能なものである。
【背景技術】
【０００２】
プリント部たる記録ヘッドをプリント媒体上で走査させながらプリント動作を実行する所謂シリアル走査型の画像記録装置は、さまざまな画像形成に適用されている。特にインクジェット方式によるものは、近年高解像度化やカラー化が進み、画像品位が目覚しく向上したことから、急速に普及してきている。このような装置では、インクを例えば滴として吐出する吐出口を集積配置してなる所謂マルチノズルヘッドが用いられているが、現在では吐出口の集積密度を高めることで高解像度の画像形成が可能となってきている。
【０００３】
このような状況下、１回の主走査で記録媒体の単位面積あたりに付与されるインク滴の数が多いと、記録媒体上に形成されるインクドット間の滲みが生じやすくなるので、同一領域に対しては相補的な関係にあるドット配列に従った複数回の主走査にて記録媒体上に画像の形成を行う記録法が採用される場合がある。
【０００４】
かかる記録法を採用すると、１回の主走査で記録される画像データは適切に間引かれ、複数回の主走査で全画像データが形成されることになるので、１回の主走査で記録媒体の単位面積あたりに付与されるインク量も少なくなることから、インクの滲みが低減される。この効果は、同一記録領域に対する主走査回数（パス数）が多いほど高まることから、滲みの低減によって高画質化を図るためにはパス数を多くすることが好ましい。しかしパス数を多くすると、その分だけ全体のプリント時間が長くなってしまい、高速化の妨げとなる。このように高画質化と高速化とはトレードオフの関係にある。
【０００５】
このような高画質化と高速化とを両立させるための手法として、インク付与量に応じてパス数を変更するといった手法を採用するものがある（例えば特許文献１参照）。詳しくは、この特許文献１では、インク付与量が多い場合にインク滲みが発生し易いことから、パス数を比較的多くし、一方インク付与量が少ない場合はインク滲みが発生にくいことから、パス数を比較的少なく設定している。
【０００６】
一方、近年のカラーインクジェット記録装置の急速な普及に伴い、カラー画質のより一層の向上も求められるようになってきている。特に、記録装置が再現することのできる色領域を拡張させた鮮やかな出力画像が求められている。これに対し、イエロー、マゼンタおよびシアンの３色のうち、各１色で再現できる色領域については、個々の記録剤（インク）の色材の発色特性や色材濃度を改善することによって色再現領域を拡張することが可能である。しかし、２色以上の記録剤で形成されるレッド、グリーンおよびブルーの領域で、特に彩度の高い色領域では、イエロー、マゼンタおよびシアンの３色、またはさらにブラックを加えた４色を用いるのみでは再現できる色領域に限りがあるので、より鮮やかな色再現が難しくなる。
【０００７】
そこで色再現域を拡張するために、イエロー、マゼンタおよびシアンの減法混色の３原色、またはさらにブラックを加えた４色のインクのほかに、色空間においてそれぞれの中間の色相角を有するレッド、グリーン、ブルー等の特色インクを用いることが知られている（例えば、特許文献２参照）。この特許文献２では、特色インクを用いることにより、色再現域の拡張に加え、インク滲みの低減をも図っている。すなわち、この特許文献２では、２次色（レッド、グリーン、ブルー）の領域を１次色（シアン、マゼンタ、イエロー）のインクの混合により表現するのではなく、特色のインクをそのまま用いて表現することで、単位面積あたりのインク付与量を減少させインク滲みを低減している。このように特色インクを使用すると、２次色の領域を形成する際のインク付与量が減少するのでインク滲みを低減できる。
【０００８】
【特許文献１】特開平５−３０９８７４号公報
【特許文献２】特開平８−２４４２５４号公報
【特許文献３】特開２００２−０６９３４８号公報
【特許文献４】国際公開第００／４３４５号パンフレット
【発明の開示】
【発明が解決しようとする課題】
【０００９】
さて、上述したように特色インクを使用する場合は、特色インクを使用しない場合に比べ、２次色の領域を形成する際のインク付与量が少なくて済む。従って、特色インクを用いるシステムにおいて高画質化と高速化とを両立させようとする場合、上述した特許文献１に開示される技術水準に照らして考察すれば、インク付与量が少なくて済む特色インク使用時にはパス数を比較的少なくして記録の高速化を図る一方、インク付与量が多くなりがちな特色インク不使用時にはパス数を比較的多くするといった制御を行うことに想到し得る。言い換えれば、パス数が比較的少ないモードのときには特色インクを積極的に使用し、一方、パス数が比較的多いモードのときには特色インクを不使用とするといった手法が導かれる。
【００１０】
しかし、この手法を採用すると、パス数の低減による高速化およびインク滲みの低減による高画質化を両立する上では効果的であるが、特色インクを使用する本来的な目的の一つである「色再現域の拡張」による高画質化を達成する上では不十分である、ということを本発明者らは見出した。すなわち、色再現域の拡張にあたっては、特色インクにて表現される色域部分での発色性を向上させることが重要であるが、上記手法のようにパス数が比較的少ないモードにて特色インクを使用したとしても、記録媒体表面に多くの特色色材を残存させることはできず、特色インクにより表現される色域部分の発色性を十分なものにすることができないということ、換言すれば、特色インクを徒に消費するだけで色域拡大のために特色インクを使用する意味が滅却されてしまうということを本発明者は認識するに至ったのである。
【００１１】
本発明は、以上の状況に鑑みてなされたものであり、その目的とするところは、記録媒体上の同一記録領域に対する主走査回数（パス数）を変更可能に構成することで高速化を図りつつも、特色インクにて表現される色域部分での発色性を向上させて高画質化を図ることのできるインクジェット記録方法、当該記録方法を実現するためのプログラムおよびインクジェット記録装置を提供することにある。
【課題を解決するための手段】
【００１２】
そのために、本発明は、シアン、マゼンタおよびイエローの３色および該３色とは色相が異なる特色のインクを吐出可能な記録ヘッドを、記録媒体の同一領域に対して相対的に複数回主走査させながら記録を行うインクジェット記録方法であって、
前記主走査の回数に対応した情報を取得する工程と、
当該取得した情報に対応した回数だけ前記記録ヘッドを前記同一領域に対して主走査させて前記記録媒体に記録を行う工程とを具え、
該記録工程では、前記取得した情報に対応した回数が所定の回数以下である場合、前記特色のインクを使用せずに記録を行い、前記取得した情報に対応した回数が前記所定の回数より多い回数である場合、前記特色のインクの使用を許容して記録を行うことを特徴とする。
【００１３】
また、本発明は、シアン、マゼンタおよびイエローの３色および該３色とは色相が異なる特色のインクを吐出可能な記録ヘッドを、記録媒体の同一領域に対して相対的に複数回主走査させながら記録を行うインクジェット記録方法であって、
異なる複数の前記主走査の回数に対応した複数の情報の中から、一つを選択する工程と、
当該選択した情報に対応した回数だけ前記記録ヘッドを前記同一領域に対して主走査させて前記記録媒体に記録を行う工程とを具え、
前記選択工程において選択した情報に対応した前記主走査の回数が所定の回数以下である場合、前記記録工程において前記特色のインクの使用が許容されず、前記選択工程において選択した情報に対応した前記主走査の回数が前記所定の回数より多い回数である場合、前記記録工程において前記特色のインクの使用が許容されることを特徴とする。
【００１４】
また、本発明は、シアン、マゼンタおよびイエローの３色および該３色とは色相が異なる特色のインクを吐出するための複数の吐出口が配列された記録ヘッドを前記配列方向とは異なる方向に記録媒体に対して相対的に主走査させる主走査動作と、前記記録媒体を前記主走査の方向と直交する方向へ前記記録ヘッドに対し相対的に副走査させる副走査動作とを繰り返しながら、前記記録媒体に記録を行うインクジェット記録方法であって、
前記記録媒体の同一領域に対し前記記録ヘッドを第１の回数だけ主走査させて当該同一領域に対する記録を行う第１の記録モードと、前記記録媒体の同一領域に対し前記記録ヘッドを前記第１の回数よりも多い第２の回数だけ主走査させて当該同一領域にする記録を行う第２の記録モードとを含む複数の記録モードのうち、記録に使用する１つの記録モードを選択する工程と、
当該選択した記録モードにて記録を行う工程とを具え、
前記記録工程では、前記第１の記録モードが選択された場合、前記特色のインクを使用せずに記録を行い、前記第２の記録モードが選択された場合、前記特色のインクの使用を許容して記録を行うことを特徴とする。
【００１５】
さらに本発明は、シアン、マゼンタおよびイエローの３色および該３色とは色相が異なる特色のインクを吐出するための複数の吐出口が配列された記録ヘッドを前記配列方向とは異なる方向に記録媒体に対して相対的に主走査させる主走査動作と、前記記録媒体を前記主走査の方向と直交する方向へ前記記録ヘッドに対し相対的に副走査させる副走査動作とを繰り返しながら、前記記録媒体に記録を行うインクジェット記録方法であって、
前記記録媒体の同一領域に対し前記記録ヘッドを第１の回数だけ主走査させて当該同一領域に対する記録を行う第１の記録モードと、前記記録媒体の同一領域に対し前記記録ヘッドを前記第１の回数よりも多い第２の回数だけ主走査させて当該同一領域にする記録を行う第２の記録モードとを含む複数の記録モードのうち、記録に使用する１つの記録モードを選択する工程と、
当該記選択した記録モードに対応したインクの色データを生成する工程と、
当該生成された色データに基づいて記録を行う工程とを具え、
前記データ生成工程では、前記第１の記録モードが選択された場合、前記特色のインクの色データは生成せず、前記第２の記録モードが選択された場合、前記特色のインクの色データを生成可能であることを特徴とする。
【００１６】
また、本発明は、シアン、マゼンタおよびイエローの３色および該３色とは色相が異なる特色のインクを吐出可能な記録ヘッドを、記録媒体の同一領域に対して相対的に複数回主走査させながら記録を行うために、
前記主走査の回数に関する情報を取得する工程と、
当該取得した情報に対応した回数が所定の回数以下である場合、前記特色のインクに対応したデータは生成せずに前記３色のインクに対応したデータを生成し、前記取得した情報に対応した回数が前記所定の回数より多い回数である場合、前記特色のインクおよび前記３色のインクに対応したデータを生成するデータ生成工程と、
をコンピュータに実行させるプログラムに存する。
【００１７】
さらに、本発明は、シアン、マゼンタおよびイエローの３色および該３色とは色相が異なる特色のインクを吐出可能な記録ヘッドを、記録媒体の同一領域に対して相対的に複数回主走査させながら記録を行うために、
前記記録媒体の同一領域に対し前記記録ヘッドを第１の回数だけ主走査させて当該同一領域に対する記録を行う第１の記録モードと、前記記録媒体の同一領域に対し前記記録ヘッドを前記第１の回数よりも多い第２の回数だけ主走査させて当該同一領域にする記録を行う第２の記録モードを含む複数の記録モードのうち、選択された１つの記録モードに関する情報を取得する工程と、
当該取得した情報が前記第１の記録モードに関する情報の場合、前記特色のインクに対応したデータは生成せずに前記３色のインクに対応したデータを生成し、前記取得した情報が前記第２の記録モードに関する情報の場合、前記特色のインクおよび前記３色のインクに対応したデータを生成するデータ生成工程と、
をコンピュータに実行させるプログラムに存する。
【００１８】
加えて、本発明は、シアン、マゼンタおよびイエローの３色および該３色とは色相が異なる特色のインクを吐出可能な記録ヘッドを、記録媒体の同一領域に対して相対的に複数回主走査させながら記録を行うインクジェット記録装置であって、
前記記録媒体の同一領域に対し前記記録ヘッドを第１の回数だけ主走査させて当該同一領域に対する記録を行う第１の記録モードと、前記記録媒体の同一領域に対し前記記録ヘッドを前記第１の回数よりも多い第２の回数だけ主走査させて当該同一領域にする記録を行う第２の記録モードとを含む複数の記録モードを実行可能であり、
前記第１の記録モードが選択された場合、前記特色のインクを使用せずに記録を行い、前記第２の記録モードが選択された場合、前記特色のインクの使用をして記録を行う手段を具えたことを特徴とする。
【発明の効果】
【００１９】
本発明によれば、記録媒体上の同一記録領域に対する主走査回数（パス数）を変更可能に構成することで高速化を図りつつも、特色インクにて表現される色域部分での発色性を向上させて高画質化を図ることが可能となる。
【発明を実施するための最良の形態】
【００２０】
以下、図面を参照して本発明を詳細に説明する。  
本明細書において「特色」とは、広義には、基本色の記録剤であるイエロー、マゼンタ、シアンの色相とは異なる色のことを指す。また、狭義には、ＣＩＥ−Ｌ＊ａ＊ｂ＊色空間において、マゼンタ、イエロー、シアンの基本色記録剤のうちの任意の２つの記録剤の組み合わせにより記録媒体上に表現される色再現領域よりも高い明度を表現でき、且つ上記任意の２つの記録剤の組み合わせにより表現される色再現領域内の色相角を示す色のことを指すか、あるいは、ＣＩＥ−Ｌ＊ａ＊ｂ＊色空間において、マゼンタ、イエロー、シアンの基本色記録剤のうちの任意の２つの記録剤の組み合わせにより記録媒体上に表現される色再現領域よりも高い明度および彩度を表現でき、且つ上記任意の２つの記録剤の組み合わせにより表現される色再現領域内の色相角を示す色のことを指す。
【００２１】
本発明では、上述した狭義の意味の「特色」の記録剤を使用することが好ましいが、広義の意味の「特色」の記録剤を使用することもできる。
【００２２】
（本発明の前提）
本発明では、記録媒体の同一領域（１ラスターに対応する領域、あるいは、ある色のインクを吐出する記録ヘッドが１回の主走査で記録可能な副走査方向の幅に対応する領域）に対する記録ヘッドのパス数が比較的少ない記録モード（第１の記録モード）では特色インクを使用せずに記録を行うようにし、記録ヘッドのパス数が比較的多い記録モード（第２の記録モード）では特色インクを使用して記録を行うように制御している。
【００２３】
図１および図２を用いて、このような制御を行う理由を説明する。  
まず、図１（ａ）に示すように、パス数が比較的少ない記録モードでは、１回の主走査で記録媒体の同一領域に同時に吐出されるインク滴数は比較的多くなる。そして、記録媒体に実質的に同時に着弾したそれらのインク滴はインク溶剤同士が合体して記録媒体に対し深く浸透し、同図（ｂ）のように定着する。これは、インクの乾燥（インク溶剤成分の蒸発）は単位体積当たりのインク表面積が小さいほど進行が緩く、記録媒体へのインクの浸透は乾燥が進んでいないものほど強いと考えられるためと考えられる。
【００２４】
特色インクを使用することで、１回の主走査で記録媒体の単位面積あたりに付与されるインク量を少なくすることができると言っても、マルチパス記録法では同一記録領域に対しては相補的な関係にあるドット配列に従った複数回の主走査にて記録媒体上に画像の形成を行うものであるので、パス数が少なければその分同一の記録領域に同時に付与されるインク量が多くなり、インクが記録媒体に深く浸透してしまうことは避けられない。従って、同一領域に同時に吐出されるインク滴に特色インクのものが含まれていても、記録媒体表面に残存する特色インクの色材は少なくなってしまう。すると、特色インクにより表現される色域部分の発色性を十分なものにすることができず、徒に特色インクを消費するだけで特色インクの使用目的の最も重要な一つである「色再現域の拡張」による高画質化という効果を十分に引き出すことができない。よって本発明では、パス数が比較的少ない記録モード（第１の記録モード）では特色インクを使用せずに記録を行うようにしている。
【００２５】
また、パス数が比較的少ない記録モードの場合、所定の記録領域の記録を完成させるまでの主走査回数が少ない、すなわち短時間で記録が完成するため、そのデータの生成処理速度としてもある程度の速さが要求される。なぜなら、通常、ある領域の記録を行う場合、その領域のデータ生成処理が終了した後に記録動作を開始するので、仮にデータの生成処理速度が遅く、データ処理に要する時間が長くなると、データ処理が完成するまでの間は記録動作を開始できず、無駄な待ち時間が発生してしまい、パス数を少なくした意味がなくなってしまうからである。さて、特色インクを使用すると、使用する色の数が増え、それに伴って処理すべきデータ量が増える。すると、データ生成に要する処理時間が長くなり、データの生成処理速度が遅くなってしまう。従って、データの生成処理速度を考慮しても、パス数が比較的少ない記録モードの場合には、特色インクを使用しないようにすることは有効である。
【００２６】
以上に対し、パス数が比較的少ない記録モードでは、１回の主走査で記録媒体の同一領域に同時に吐出されるインク滴数は比較的少なくなり、図２（ａ）〜（ｄ）に示すように同一領域に対しては異なる主走査で、すなわち時間をおいてインク滴が順次打ち込まれて行くことになる。ここで、各インク滴の単位体積当たりのインク表面積は比較的大となるので、インクの乾燥は速やかに進行し、従って、後のインク滴が吐出される際には、先のインク滴は既に記録媒体に対し比較的浅い位置に浸透・定着している。すなわち、同量のインクが同一領域に付与される場合でも、同時にインク滴を着弾させた図１（ｂ）の場合に比べ、図２（ｅ）に示すように各インクのドットは独立性を保ち、かつ浸透した深さも小さい。
【００２７】
よって、これらインク滴に特色インクのものが含まれていた場合、記録媒体表面に残存する特色インクの色材は多くなるので、特色インクにより表現される色域部分の発色性を十分なものにすることができ、特色インクの使用目的の最も重要な１つである「色再現域の拡張」による高画質化という効果を十分に引き出すこともできる。
【００２８】
なお、上述したように特色インクを使用すると、その分データの生成処理速度が遅くなってしまうが、パス数が比較的多いモードでは所定の記録領域を完成させるための記録動作時間に比べて、その領域のデータ処理時間が短くなるので、記録動作の無駄な遅延は生じさせずに済む。
【００２９】
以上のように本発明では、記録媒体の同一領域に対する記録ヘッドのパス数の多少に応じて特色インクの使用・不使用を切換えることで、高速化と高画質化を両立させている。詳しくは、データ生成処理速度としてそれ程速いレベルは要求されず、かつ特色インクにより表現される色域部分の発色性を十分なものにすることができる場合、すなわち、パス数が比較的多いモードの場合、特色インクを使用することで色再現域を拡張し高画質化を図り、その一方で、データ生成処理速度としてかなり速いレベルが要求される場合、すなわち、パス数が比較的少ないモードの場合、特色インクを不使用にすることで使用可能なインクの色の数を少なくして、データ処理速度を維持し高速化を図っているのである。
【００３０】
すなわち、本発明者らは、上述のような考察および検討を経て、特許文献１および２に開示された技術から導かれ得る上記手法とは全く異なる構成を採用するに至ったのである。
【００３１】
（プリントシステムの構成）
図３は、本発明の適用対象の一例であるプリントシステムのハードウェア構成を示すブロック図である。本実施形態に係るシステムは、概して、画像データの生成や、当該生成のためのＵＩ（ユーザインタフェース）設定等を行うホスト装置１０００と、その印刷データに基づいて画像をプリント媒体に形成するプリンタ（記録装置）２０００とで構成される。
【００３２】
ホスト装置１０００は、ＣＰＵ１００１、ＲＯＭ１００２、ＲＡＭ１００３、システムバス１００４、種々の入出力機器のためのＩ／Ｏコントローラ（ＣＲＴＣ，ＨＤＣ，ＦＤＣなど）１００５、外部インタフェース（Ｉ／Ｆ）１００６、ハードディスクドライブ（ＨＤＤ）やフロッピー(登録商標)ディスクドライブ（ＦＤＤ）などの外部記憶装置（ＨＤＤ／ＦＤＤ）１００７、リアルタイムクロック（ＲＴＣ）１００８、ＣＲＴ１００９、およびキーボードやマウスなどの入力装置（ＫｅｙＢｏａｒｄ／Ｍｏｕｓｅ）１０１０等を備える。
【００３３】
ＣＰＵ１００１は、外部記憶装置１００７等よりＲＡＭ１００３に読み込んだアプリケーションプログラムや、通信プログラム、プリンタドライバ、オペレーティングシステム（ＯＳ）等に基づいて動作するが、電源投入時はＲＯＭ１００２によりブートし、外部記憶装置１００７等からＯＳをＲＡＭ１００３にロードした後、アプリケーションプログラムやドライバソフトウェア等も同様にロードすることでシステムとして機能する。外部Ｉ／Ｆ１００６は、ＲＡＭ１００３や外部記憶装置１００７（ＨＤＤ）内にスプールした印刷データを順次プリンタ２０００に送信する。入力装置１０１０は、Ｉ／Ｏコントローラ１００５を介してユーザからの指示データをホストコンピュータ内に取り込む。ＲＴＣ１００８は、システム時間を計時するためのものであり、Ｉ／Ｏコントローラ１００５を介して時間情報の取得や設定等を行う。ＣＲＴ１００９は表示装置であり、Ｉ／Ｏコントローラ１００５内のＣＲＴＣにより制御される。これらのＣＲＴ１００９および入力装置１０１０のブロックによりユーザインタフェースが構成される。
【００３４】
図４は本発明の適用対象の一例であるプリントシステムを画像データの流れに沿って示した機能ブロック図である。本実施形態のプリント装置は、シアン、マゼンタ、イエロー、レッド、グリーン、ブルーおよびブラックの７色のインクを用いて印刷を行うものであり、そのためにこれら７色のインクを吐出する記録ヘッドが用いられる。
【００３５】
ホスト装置１０００のオペレーティングシステムで動作するプログラムとしてアプリケーションやプリンタドライバがある。アプリケーションＪ０００１はプリンタで印刷する画像データを作成する処理を実行する。この画像データもしくはその編集等がなされる前のデータは種々の媒体を介してＰＣに取り込むことができる。本実施形態のＰＣは、先ずデジタルカメラで撮像した例えばＪＰＥＧ形式の画像データをＣＦカードによって取り込むことができる。また、スキャナで読み取った例えばＴＩＦＦ形式の画像データやＣＤ−ＲＯＭに格納される画像データをも取り込むことができる。さらには、インターネットを介してウエブ上のデータを取り込むことができる。これらの取り込まれたデータは、ＰＣのモニタに表示されてアプリケーションＪ０００１を介した編集、加工等がなされ、例えばｓＲＧＢ規格の画像データＲ、Ｇ、Ｂが作成される。そして、印刷の指示に応じてこの画像データがプリンタドライバに渡される。
【００３６】
本実施形態のプリンタドライバはその処理として、前段処理Ｊ０００２、後段処理Ｊ０００３、γ補正Ｊ０００４、ハーフトーニングＪ０００５、および印刷データ作成Ｊ０００６を有している。前段処理Ｊ０００２は色域(Ｇａｍｕｔ)のマッピングを行う。本実施形態の前段処理Ｊ０００２は、ｓＲＧＢ規格の画像データＲ、Ｇ、Ｂによって再現される色域を、本プリントシステムのプリンタ２０００によって再現される色域内に写像する関係を内容とする３次元ＬＵＴを用い、これに補間演算を併用して８ビットの画像データＲ、Ｇ、Ｂをプリンタの色域内のデータＲ、Ｇ、Ｂに変換するデータ変換を行う。後段処理Ｊ０００３は、上記色域のマッピングがなされたデータＲ、Ｇ、Ｂに基づき、このデータが表す色を再現するインクの組み合わせ、すなわちイエロー、マゼンタ、シアン、ブラック、レッド、グリーンおよびブルーに対応した色分解データＹ、Ｍ、Ｃ、Ｋ、Ｒ、ＧおよびＢを求める処理を行う。本実施形態では、この処理は前段処理と同様３次元ＬＵＴに補間演算を併用して行う。γ補正Ｊ０００４は、後段処理Ｊ０００３によって求められた色分解データの各色のデータごとにその階調値変換を行う。具体的には、本システムで用いるプリンタの各色インクの階調特性に応じた１次元ＬＵＴを用いることにより、上記色分解データがプリンタの階調特性に線形的に対応づけられるような変換を行う。ハーフトーニングＪ０００５は、８ビットの色分解データＹ、Ｍ、Ｃ、Ｋ、Ｒ、ＧおよびＢそれぞれについて４ビットのデータに変換する量子化を行う。本実施形態では、誤差拡散法を用いて８ビットデータを４ビットデータに変換する。この４ビットデータは、記録装置におけるドット配置のパターン化処理における配置パターンを示すためのインデックスとなるデータである。最後に、印刷データ作成処理Ｊ０００６によって、上記４ビットのインデックスデータを内容とする印刷イメージデータに印刷制御情報を加えた印刷データを作成する。なお、上述したアプリケーションおよびプリンタドライバの処理は、それらのプログラムに従ってＣＰＵにより行われる。その際、プログラムはＲＯＭもしくはハードディスクから読み出されて用いられ、また、その処理実行に際してＲＡＭがワークエリアとして用いられる。
【００３７】
記録装置は、データ処理に関してドット配置パターン化処理Ｊ０００７およびマスクデータ変換処理Ｊ０００８を行う。ドット配置パターン化処理Ｊ０００７は、実際の印刷画像に対応する画素ごとに、印刷イメージデータである４ビットのインデックスデータ（階調値情報）に対応したドット配置パターンに従ってドット配置を行う。このように、４ビットデータで表現される各画素に対し、その画素の階調値に対応したドット配置パターンを割当てることで、画素内の複数のエリア各々にドットのオン・オフが定義され、そして１画素内の各エリアごとに「１」または「０」の吐出データが配置される。このようにして得られる１ビットの吐出データはマスクデータ変換処理Ｊ０００８によってマスク処理がなされる。すなわち、記録ヘッドによる所定幅の走査領域の記録を複数回の走査で完成するための各走査の吐出データを、それぞれの走査に対応したマスクを用いた処理によって生成する。走査ごとの吐出データＹ、Ｍ、Ｃ、Ｋ、Ｒ、ＧおよびＢは、適切なタイミングでヘッド駆動回路Ｊ０００９に送られ、これにより、記録へッドＪ００１０が駆動されて吐出データに従ってそれぞれのインクが吐出される。なお、記録装置における上述のドット配置パターン化処理やマスクデータ変換処理は、それらに専用のハードウエア回路を用い記録装置の制御部を構成するＣＰＵの制御の下に実行される。なお、これらの処理がプログラムに従ってＣＰＵにより行われてもよく、また、上記処理がＰＣにおける例えばプリンタドライバによって実行されるものでもよく、本発明を適用する上でこれら処理の形態が問われないことは以下の説明からも明らかである。
【００３８】
以上説明した本実施形態のプリンタは、特色としてレッド、グリーンおよびブルーを用いるものである。ここで特色とは、上述のようにこれら基本色インクであるイエロー、マゼンタ、シアンの３色とは異なる色相の色、特に３色のうちの２つの間の色相角を示す色を言うが、本実施形態ではさらに、当該混色で作られる２次色の同じ色相の色よりも彩度および明度が高い色を実現できるものを用いる。すなわち、本実施形態において「特色」とは、ＣＩＥ−Ｌ＊ａ＊ｂ＊色空間において、マゼンタ、イエロー、シアンの基本色記録剤のうちの任意の２つの記録剤の組み合わせにより表現される色再現領域内の色相角を示すとともに、２記録剤の組み合わせにより記録媒体上に表現される色再現領域よりも高い彩度および明度の色である。
【００３９】
また、特に本実施形態の特色インクレッドは、例えば、モニタなどのｓＲＧＢ規格の入力画像データＲ、Ｇ，Ｂが再現できる色空間より高い彩度および明度を再現することを可能とするものである。
【００４０】
なお、本明細書では、記録剤であるインクについてシアン、マゼンタ、イエロー、ブラックなど片仮名表記で表し、色もしくはそのデータ、また色相をＣ、Ｍ、Ｙ、Ｋなど英大文字の１字で表すものとする。すなわち、Ｃはシアン色またはそのデータないし色相を、Ｍはマゼンタ色またはそのデータないし色相を、Ｙはイエロー色またはそのデータないし色相を、Ｋはブラック色またはそのデータないし色相を、Ｒはレッド色またはそのデータないし色相を、Ｇはグリーン色またはそのデータないし色相を、Ｂはブルーまたはそのデータないし色相を、それぞれ表すものとする。
【００４１】
さらに、本明細書において「画素」とは、階調表現できる最小単位のことであり、複数ビットの多値データの画像処理（上記前段、後段、γ補正、ハーフトーニング等の処理）の対象となる最小単位である。なお、後述のようにハーフトーニング処理では、１つの画素はｍ×ｎ（例えば４×２）のマスで構成されるパターンに対応し、この１画素内の各マスはエリアと定義する。この「エリア」はドットのオン・オフが定義される最小単位である。これに関連して、上記前段処理、後段処理、γ補正にいう「画像データ」は処理対象である画素の集合を表しており、各画素が本実施形態では８ビットの階調値を内容とするデータであり、ハーフトーニングにいう「画素データ」は処理対象である画素データそのものを表しており、本実施形態のハーフトーニングでは、上記の８ビットの階調値を内容とする画素データが４ビットの階調値を内容とする画素データ（インデックスデータ）に変換される。
【００４２】
（画像形成装置の機構部の概略構成）
本実施形態で画像形成装置として用いるインクジェット記録装置の機構部の概略構成を説明する。本実施形態における記録装置本体は、各機構の役割から、給紙部、用紙搬送部、キャリッジ部、排紙部、クリーニング部およびこれらを保護し、意匠性を持たす外装部から構成されている。以下、これらの概略を説明していく。
【００４３】
図５は、本実施形態で適用する記録装置の斜視図である。また、図６および図７は、記録装置本体の内部機構を説明するための図であり、図６は右上部からの斜視図、図７は記録装置本体の側断面図をそれぞれ示したものである。
【００４４】
本実施形態で適用する記録装置において給紙を行う際には、まず給紙トレイＭ２０６０を含む給紙部において記録媒体の所定枚数のみが給紙ローラＭ２０８０と分離ローラＭ２０４１から構成されるニップ部に送られる。送られた記録媒体はニップ部で分離され、最上位の記録媒体のみが用紙搬送部に搬送される。用紙搬送部に送られた記録媒体は、ピンチローラホルダＭ３０００及びペーパーガイドフラッパーＭ３０３０に案内されて、搬送ローラＭ３０６０とピンチローラＭ３０７０とのローラ対に送られる。搬送ローラＭ３０６０とピンチローラＭ３０７０とからなるローラ対は、ＬＦモータＥ０００２の駆動により回転され、この回転により記録媒体がプラテンＭ３０４０上を搬送される。
【００４５】
キャリッジ部は、記録ヘッドＨ１００１を取り付けるためのキャリッジＭ４０００を有しており、キャリッジＭ４０００は、ガイドシャフトＭ４０２０およびガイドレールＭ１０１１によって支持されている。ガイドシャフトＭ４０２０は、シャーシＭ１０１０に取り付けられており、記録媒体の搬送方向に対して直角方向にキャリッジＭ４０００を往復走査させるように案内支持している。また、キャリッジＭ４０００は、シャーシＭ１０１０に取り付けられたキャリッジモータＥ０００１によりタイミングベルトＭ４０４１を介して駆動される。更に、キャリッジＭ４０００には、電気基板Ｅ００１４から記録ヘッドＨ１００１へ、駆動信号を伝えるための不図示のフレキシブルケーブルＥ００１２が接続されている。このような構成において記録媒体に画像形成する場合、搬送方向（カラム方向）に対しては、搬送ローラＭ３０６０およびピンチローラＭ３０７０からなるローラ対が、記録媒体を搬送して位置決めする。また、走査方向（ラスタ方向）に対しては、キャリッジモータＥ０００１によりキャリッジＭ４０００を上記搬送方向と垂直な方向に移動させて、記録ヘッドＨ１００１（図８）を目的の画像形成位置に配置させる。位置決めされた記録ヘッドＨ１００１は、電気基板Ｅ００１４からの信号に従って、記録媒体に対しインクを吐出する。記録ヘッドＨ１００１についての詳細な構成は後述するが、本実施形態の記録装置においては、記録ヘッドＨ１００１により記録を行いながらキャリッジＭ４０００が走査する記録主走査と、搬送ローラＭ３０６０により記録媒体が搬送される副走査とを交互に繰り返すことにより、記録媒体上に画像を形成していく構成となっている。
【００４６】
最後に画像形成された記録媒体は、排紙部で第１の排紙ローラＭ３１１０と拍車Ｍ３１２０とのニップに挟まれ、搬送されて排紙トレイＭ３１６０に排出される。
【００４７】
なお、クリーニング部において、画像記録前後の記録ヘッドＨ１００１をクリーニングする目的のために、キャップＭ５０１０を記録ヘッドＨ１００１のインク吐出口に密着させた状態で、ポンプＭ５０００を作用させると、記録ヘッドＨ１００１から不要なインク等が吸引されるようになっている。また、キャップＭ５０１０を開けた状態で、キャップＭ５０１０に残っているインクを吸引することにより、残インクによる固着およびその後の弊害が起こらないように配慮されている。
【００４８】
（記録ヘッド構成）
以下に本実施形態で適用するヘッドカートリッジＨ１０００の構成について説明する。  本実施形態におけるヘッドカートリッジＨ１０００は、記録ヘッドＨ１００１と、インクタンクＨ１９００を搭載する手段、およびインクタンクＨ１９００から記録ヘッドにインクを供給するための手段を有しており、キャリッジＭ４０００に対して着脱可能に搭載される。
【００４９】
図８は、本実施形態で適用するヘッドカートリッジＨ１０００に対し、インクタンクＨ１９００を装着する様子を示した図である。本実施形態の記録装置は、シアン、マゼンタ、イエロー、ブラック、レッド、グリーン、およびブルーの７色のインクによって画像を形成するものであり、従ってインクタンクＨ１９００も７色分が独立に用意されている。そして、図に示すように、それぞれがヘッドカートリッジＨ１０００に対して着脱自在となっている。尚、インクタンクＨ１９００の着脱は、キャリッジＭ４０００にヘッドカートリッジＨ１０００が搭載された状態で行えるようになっている。
【００５０】
図９は、ヘッドカートリッジＨ１０００の分解斜視図を示したものである。図において、ヘッドカートリッジＨ１０００は、第１の記録素子基板Ｈ１１００および第２の記録素子基板Ｈ１１０１、第１のプレートＨ１２００、第２のプレートＨ１４００、電気配線基板Ｈ１３００、タンクホルダーＨ１５００、流路形成部材Ｈ１６００、フィルターＨ１７００、シールゴムＨ１８００などから構成されている。
【００５１】
第１の記録素子基板Ｈ１１００および第２の記録素子基板Ｈ１１０１はＳｉ基板であり、その片面にインクを吐出するための複数の記録素子（ノズル）がフォトリソ技術により形成されている。各記録素子に電力を供給するＡｌ等の電気配線は、成膜技術により形成されており、個々の記録素子に対応した複数のインク流路もまた、フォトリソグラフィ技術により形成されている。さらに、複数のインク流路にインクを供給するためのインク供給口が裏面に開口するように形成されている。
【００５２】
図１０は、第１の記録素子基板Ｈ１１００および第２の記録素子基板Ｈ１１０１の構成を説明するための正面拡大図である。Ｈ２０００〜Ｈ２６００は、それぞれ異なるインク色に対応する記録素子の列（以下ノズル列ともいう）であり、第１の記録素子基板Ｈ１１００には、シアンインクの供給されるノズル列Ｈ２０００、マゼンタインクの供給されるノズル列Ｈ２１００、およびイエローインクの供給されるノズル列Ｈ２２００の３色分のノズル列が構成されている。第２の記録素子基板Ｈ１１０１には、ブラックインクの供給されるノズル列Ｈ２３００、レッドインクの供給されるノズル列Ｈ２４００、グリーンインクの供給されるノズル列Ｈ２５００、およびブルーインクの供給されるノズル列Ｈ２６００の４色分のノズル列が構成されている。
【００５３】
各ノズル列は、記録媒体の搬送方向に１２００ｄｐｉ（ｄｏｔ／ｉｎｃｈ；参考値）の間隔で並ぶ７６８個のノズルによって構成され、約２ピコリットルのインク滴を吐出させる。各ノズル吐出口における開口面積は、およそ１００平方μｍ2に設定されている。また、第１の記録素子基板Ｈ１１００および第２の記録素子基板Ｈ１１０１は第１のプレートＨ１２００に接着固定されており、ここには、第１の記録素子基板Ｈ１１００および第２の記録素子基板Ｈ１１０１にインクを供給するためのインク供給口Ｈ１２０１が形成されている。
【００５４】
さらに、第１のプレートＨ１２００には、開口部を有する第２のプレートＨ１４００が接着固定されており、この第２のプレートＨ１４００は、電気配線基板Ｈ１３００と第１の記録素子基板Ｈ１１００および第２の記録素子基板Ｈ１１０１とが電気的に接続されるように、電気配線基板Ｈ１３００を保持している。
【００５５】
電気配線基板Ｈ１３００は、第１の記録素子基板Ｈ１１００および第２の記録素子基板Ｈ１１０１に形成されている各ノズルからインクを吐出するための電気信号を印加するものであり、第１の記録素子基板Ｈ１１００および第２の記録素子基板Ｈ１１０１に対応する電気配線と、この電気配線端部に位置し記録装置本体からの電気信号を受け取るための外部信号入力端子Ｈ１３０１とを有している。外部信号入力端子Ｈ１３０１は、タンクホルダーＨ１５００の背面側に位置決め固定されている。
【００５６】
一方、インクタンクＨ１９００を保持するタンクホルダーＨ１５００には、流路形成部材Ｈ１６００が例えば超音波溶着により固定され、インクタンクＨ１９００から第１のプレートＨ１２００に通じるインク流路Ｈ１５０１を形成している。
【００５７】
インクタンクＨ１９００と係合するインク流路Ｈ１５０１のインクタンク側端部には、フィルターＨ１７００が設けられており、外部からの塵埃の侵入を防止し得るようになっている。また、インクタンクＨ１９００との係合部にはシールゴムＨ１８００が装着され、係合部からのインクの蒸発を防止し得るようになっている。
【００５８】
さらに、前述のようにタンクホルダーＨ１５００、流路形成部材Ｈ１６００、フィルターＨ１７００及びシールゴムＨ１８００から構成されるタンクホルダー部と、第１の記録素子基板Ｈ１１００および第２の記録素子基板Ｈ１１０１、第１のプレートＨ１２００、電気配線基板Ｈ１３００及び第２のプレートＨ１４００から構成される記録ヘッド部Ｈ１００１とを、接着等で結合することにより、ヘッドカートリッジＨ１０００が構成されている。
【００５９】
なお、記録ヘッドのインク吐出方式としては、例えば、インクを吐出するために利用されるエネルギとして、電気信号に応じて膜沸騰をインクに対して生じさせるための熱エネルギを生成する電気熱変換体（記録素子）を用いたものを挙げることができる。この方式は、所謂オンデマンド型、コンティニュアス型のいずれにも適用可能であるが、特に、オンデマンド型の場合には、液体（インク）が保持されているシートや液流路に対応して配置されている電気熱変換体に、記録情報に対応していて核沸騰を超える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長・収縮が行なわれるので、特に応答性に優れた液体（インク）の吐出が達成でき、より好ましいと言える。
【００６０】
また、他の吐出方式による記録ヘッドの形態としては、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録ヘッドを挙げることができる。
【００６１】
また、インクジェット記録装置としては、上述のようにヘッドとインクタンクとが別体となったものに限らず、それらが分離不能に一体になったものを用いるものでもよい。また、インクタンクとしてはヘッドに対し分離可能または分離不能に一体化されてキャリッジに搭載されるもののほか、装置の固定部位に設けられて、インク供給部材、例えばチューブを介して記録ヘッドにインクを供給する形態のものでもよい。さらに、記録ヘッドに対し好ましい負圧を作用させるための構成をインクタンクに設ける場合には、インクタンクのインク収納部に吸収体を配置した形態、あるいは可撓性のインク収容袋とこれに対しその内容積を拡張する方向の付勢力を作用するばね部とを有した形態などを採用することができる。
【００６２】
（第１の実施形態）
上述した７色のインクによる記録が可能な装置構成を用い、品位情報として「標準」および「きれい」の２種類の選択を可能とする。そして「標準」が選択された場合、４パスで特色（レッド、グリーンおよびブルー）を使用しない４色（イエロー、マゼンタ、シアンおよびブラック）のモードとなり、これが第１の記録モードに相当するものとする。また、品位情報として「きれい」が選択された場合、８パスで特色も使用した７色のモードとなり、これが第２の記録モードに相当するものとする。このように本実施形態では、記録モードの選択がユーザによる品位情報の選択によりなされ、特許請求の範囲における「主走査の回数に対応した情報」とは、主走査の回数と対応づけられた品位情報のことである。そして本実施形態では、品位情報、パス数および特色使用の有無ないし使用可能なインク色とは表１のように対応づけられている。
【００６３】
【表１】
2005059363.tif 000003
【００６４】
図１１は本実施形態における記録処理手順を示すフローチャートである。  
まず、ステップＳ１では、例えばアプリケーションからの印刷指示に応じて起動されるプリンタドライバのプロパティ画面において、上記表１に示されるような主走査の回数に対応づけられた複数の品位情報の中から１つの品位情報が選択される。これによりプリンタドライバは、主走査の回数に関する情報を取得することになる。
【００６５】
図１２は、品位情報を選択するためのプロパティ画面１００の表示例である。本実施形態で設定可能な品位情報には、「標準」および「きれい」の２種類の選択肢が存在し、それぞれの機能に対してラジオボタン１０１および１０２を割り当てて構成し、この２つの中のいずれか一つが選択されるように排他制御を行うものである。
【００６６】
そして品位情報として「標準」が選択された場合、４パスで特色を使用しない４色の記録モード（第１の記録モード）に設定すべき旨の情報が取得される。また、品位情報として「きれい」が選択された場合、８パスで特色を使用する７色の記録モード（第２の記録モード）に設定すべき旨の情報が取得される。
【００６７】
上記品位情報の選択等が完了して印刷実行が指示されると、取得した主走査の回数に対応した情報（品位情報）に基づき、ステップＳ２にて、生成すべきインク色のデータを決定して記録が行われるよう分岐判断を行う。詳しくは、ステップＳ１にて取得した情報に対応する回数が第１の回数（ここでは４回）である場合、ステップＳ３へ進み、特色を不使用とした４色のデータの生成を決定し、一方、ステップＳ１にて取得した情報に対応する回数が第１の回数より多い第２の回数（ここでは８回）である場合、ステップＳ５へ進み、特色を使用する７色のデータの生成を決定する。つまり、ステップＳ１にて取得した品位情報が「標準」であれば、ステップＳ３へ進み、ステップＳ１にて取得した品位情報が「きれい」であれば、ステップＳ５へ進む。
【００６８】
ステップＳ３では、主走査の回数が第１の回数（ここでは４回）であるため、言い換えれば、主走査の回数が比較的少ない回数であるため、レッド、グリーンおよびブルーの特色インクは使用されず、シアン、マゼンタ、イエローおよびブラックのインクが使用されるようにデータ生成を行う。詳しくは、図４に示される後段処理Ｊ０００３にて、ＲＧＢの多値データがＣＭＹＫの４色に対応した多値データに変換される。これにより、パス数が比較的少ない第１の記録モードにて使用可能なインクの色に対応したデータ（ＣＭＹＫデータ）の生成がなされる。その後、γ補正処理Ｊ０００４、ハーフトーン処理Ｊ０００５等を経て、ＣＭＹＫの４色に対応した２値データが生成される。その後、ステップＳ４へ進む。
【００６９】
ステップＳ４では、ＣＭＹＫの４色に対応した２値データに基づき、図１３に示されるように記録媒体の同一領域に対して記録ヘッドを第１の回数（４回）だけ主走査させて記録媒体に記録を行う。
【００７０】
一方、ステップＳ５では、主走査の回数が第１の回数よりも多い第２回数（ここでは８回）であるため、言い換えれば、主走査の回数が比較的多い回数であるため、シアン、マゼンタ、イエローおよびブラックのインクに加え、レッド、グリーンおよびブルーの特色インクも使用されるようにデータ生成を行う。詳しくは、図４に示される後段処理Ｊ０００３にて、ＲＧＢの多値データがＣＭＹＫＲＧＢの７色に対応した多値データに変換される。これにより、パス数が比較的多い第２の記録モードにて使用可能なインクの色に対応したデータ（ＣＭＹＫＲＧＢデータ）の生成がなされる。その後、γ補正処理Ｊ０００４、ハーフトーン処理Ｊ０００５等を経て、ＣＭＹＫＲＧＢの７色に対応した２値データが生成される。その後、ステップＳ６へ進む。
【００７１】
ステップＳ６では、ＣＭＹＫＲＧＢの７色に対応した２値データに基づき、図１４に示されるように記録媒体の同一領域に対して記録ヘッドを第１の回数より多い第２の回数（８回）だけ主走査させて記録媒体に記録を行う。
【００７２】
図１３および図１４の例では、記録ヘッドを複数の吐出口の配列方向とは異なる方向（ラスター方向）Ｍに主走査させるとともに、各主走査間で複数の吐出口の配列幅未満の量（図１３では配列幅の１／４、図１４では配列幅の１／８）ずつ記録媒体を主走査方向と直交する副走査方向Ｓに相対的に搬送し、同一記録領域に対しては相補的な関係にあるドット配列に従った複数回（図１３では第１パス〜第４パスの４回、図１４では第１パス〜第８パスの８回）の主走査にて記録媒体上に画像の形成を行う、所謂マルチパス記録法が採用されている。かかる記録法は、１回の主走査で記録される画像データは適切に間引かれ、複数回の走査で全画像データが形成されることになるので、１回の主走査で記録媒体の単位面積あたりに付与されるインク量も少なくなることから、インクの滲みも低減される。また、吐出口単位の吐出性能のばらつきの影響が緩和され、画像の濃度むらが目立たなくなることから好ましい。しかし、インクの滲みの低減に着目した場合には、同一領域に対して使用する吐出口を各主走査間で必ずしも変更しない複数回の主走査にて記録を行うようにすることもできる。
【００７３】
なお、上述した記録媒体上の同一領域とは、図１３や図１４の符号Ａで示される記録ヘッドの１つの吐出口が１回の主走査で記録可能な領域（１ラスターに対応する領域）であってもよいし、図１３や図１４の符号Ｂで示されるような、ある色のインクを吐出する記録ヘッドが１回の主走査で記録可能な副走査方向の幅に対応する領域であってもよい。
【００７４】
本実施形態によれば、品位情報と対応づけられたパス数（主走査の回数）の多少に応じて特色インクの使用・不使用を切換えることで、高速化と高画質化とを両立することができる。詳しくは、データ生成処理速度としてそれ程高いレベルは要求されず、かつ特色インクにより表現される色域部分の発色性を十分なものにすることができる場合、すなわち、パス数が比較的多いモードの場合、特色インクを使用することで色再現域を拡張し高画質化を達成し、その一方で、データ生成処理速度としてかなり高いレベルが要求される場合、すなわち、パス数が比較的少ないモードの場合、特色インクを不使用にすることで使用可能なインクの色の数を少なくして、データ処理速度を維持し高速化を達成しているのである。
【００７５】
（第２の実施形態）
上記第１の実施形態と同様、上述した７色のインクによる記録が可能な装置構成を用い、品位情報としては「標準」および「きれい」に加え、さらに「はやい」を含めた３種類の選択を可能とする。そして「標準」が選択された場合、および「きれい」が選択された場合のパス数および使用インク色は第１の実施形態と同様とする。また、「はやい」が選択された場合は、３パスで特色を使用しない４色の記録モードとする。すなわち、主走査の回数が所定の回数以下（３回、４回）の場合、特色インクは非使用とされ、主走査の回数が所定の回数より多い回数（８回）の場合、特色インクは使用されるものとなる。本実施形態でも「主走査の回数に対応した情報」とは、主走査の回数と対応づけられた品位情報のことである。そして本実施形態では、品位情報、パス数および特色使用の有無ないし使用可能なインク色とは表２のように対応づけられている。
【００７６】
【表２】
2005059363.tif 000004
【００７７】
図１５は本実施形態における記録処理手順を示すフローチャートである。  
まず、ステップＳ１１では、例えばアプリケーションからの印刷指示に応じて起動されるプリンタドライバのプロパティ画面において、上記表２に示されるような主走査の回数に対応づけられた複数の品位情報の中から１つの品位情報が選択される。これによりプリンタドライバは、主走査の回数に関する情報を取得することになる。なお、かかる選択を行うためのプロパティ画面としては、図１２に示したものに「はやい」の排他的選択を行うためのラジオボタンを付加したものとすることができる。
【００７８】
上記品位情報の選択等が完了して印刷実行が指示されると、ステップＳ１２にて、取得した主走査の回数に対応した情報（品位情報）に基づき、生成すべきインク色のデータを決定して記録が行われるよう分岐判断を行う。詳しくは、ステップＳ１１にて取得した情報に対応する回数が所定の回数（ここでは４回）以下である（すなわち４回または３回）場合、モードに応じてステップＳ１３またはＳ１７へ進み、特色を不使用とした４色のデータの生成を決定し、一方、ステップＳ１１にて取得した情報に対応する回数が所定の回数より多い回数（ここでは８回）である場合、ステップＳ１５へ進み、特色を使用する７色のデータの生成を決定する。つまり、ステップＳ１１にて取得した品位情報が「はやい」あるいは「標準」であれば、ステップＳ１７またはＳ１３へ進み、ステップＳ１１にて取得した品位情報が「きれい」であれば、ステップＳ１５へ進むように分岐判断を行う。
【００７９】
品位情報が「標準」である場合のステップＳ１３およびＳ１４の処理は、上記第１実施形態のステップＳ３およびＳ４とそれぞれ同様である。また、品位情報が「きれい」である場合のステップＳ１５およびＳ１６の処理は、上記第１実施形態のステップＳ５およびＳ６とそれぞれ同様である。
【００８０】
品位情報が「はやい」である場合は、主走査の回数が所定の回数以下（ここでは３回）であるため、言い換えれば、主走査の回数が比較的少ない回数であるため、レッド・グリーン・ブルーの特色インクは使用されず、シアン・マゼンタ・イエロー・ブラックのインクが使用されるようにデータ生成を行う（ステップＳ１７）。詳しくは、図４に示される後段処理Ｊ０００３にて、ＲＧＢの多値データがＣＭＹＫの４色に対応した多値データに変換される。これにより、パス数が比較的少ない第１の記録モードにて使用可能なインクの色に対応したデータ（ＣＭＹＫデータ）の生成がなされる。その後、γ補正処理Ｊ０００４、ハーフトーン処理Ｊ０００５等を経て、ＣＭＹＫの４色に対応した２値データが生成される。その後、ステップＳ１８へ進む。
【００８１】
ステップＳ１８では、ＣＭＹＫの４色に対応した２値データに基づき、記録媒体の同一領域に対して記録ヘッドを上記取得した情報に対応した回数（３回）だけ主走査させて記録媒体に記録を行う。
【００８２】
本実施形態によれば、上記第１実施形態と同様の効果に加え、品位情報と対応づけられたパス数（主走査の回数）の多少にさらにきめ細かく対応することが可能となる。
【００８３】
（第３の実施形態）
上記第２の実施形態と同様、上述した７色のインクによる記録が可能な装置構成を用い、品位情報としても上記３種類のいずれかの選択を可能とし、当該選択に応じたパス数および使用インク色は第２の実施形態と同様とする。ただし、本実施形態では、記録媒体の種類に関する情報に応じて、選択できる品位情報の種類が変更されるようにする。本実施形態では「主走査の回数に対応した情報」とは、主走査の回数と対応づけられた品位情報および記録媒体の種類の情報のことである。そして本実施形態では、記録媒体、品位情報、パス数および特色使用の有無ないし使用可能なインク色とは表３のように対応づけられている。
【００８４】
【表３】
2005059363.tif 000005
【００８５】
図１６は本実施形態における記録処理手順を示すフローチャートである。  
まず、ステップＳ１０およびＳ１１では、例えばアプリケーションからの印刷指示に応じて起動されるプリンタドライバのプロパティ画面において、上記表３に示されるような記録媒体の種類および主走査の回数に対応づけられた複数の品位情報の種類の中から選択が行われる。これによりプリンタドライバは、記録対象となる記録媒体の種類と主走査の回数に関する情報とを取得することになる。
【００８６】
図１７は、記録媒体および品位情報を選択するためのプロパティ画面の表示例である。本実施形態で例示される記録媒体の種類には、キヤノン株式会社製の「プロフォトペーパー」など発色性の良い「高品質紙」、オーバヘッドプロジェクタなどに使用される透明のプラスチックシートである「ＯＨＰシート」、および「インクジェット葉書」がある。品位情報には、「はやい」、「標準」および「きれい」の３種類の選択肢が存在するが、記録媒体の種類すなわち特性に応じて選択できる品位情報の種類は異なる。すなわち、「インクジェット葉書」が選択されたときには３種類の品位情報のいずれをも選択可能であるが、「高品質紙」が選択されたときには品位情報の「はやい」を、「ＯＨＰシート」が選択されたときには品位情報の「きれい」を、それぞれ選択できないようにする。このためには、例えば選択された記録媒体の情報に応じて、選択できない品位情報のラジオボタン等を淡色表示に切り替えるとともに、選択入力が受け付けられないようにすればよい。
【００８７】
これらのように記録媒体および品位が選択された以降の処理（ステップＳ１２〜Ｓ１８）は第２実施形態と同様である。また、本実施形態では上記第１および第２実施形態と同様の効果に加え、記録媒体の種類にも対応して、その特性に応じた適切な品位ないしパス数（主走査の回数）での記録を行うことが可能となる。
【００８８】
（第４の実施形態）
上述の第１〜第３の実施形態においては、シアン、マゼンタ、イエローおよびブラックの４色に、特色であるレッド、グリーンおよびブルーの３色を加えた７色のインクを用いたシステムに本発明を適用した場合について例示した。これに対し、以下の実施形態ではシアン、マゼンタおよびイエローの３原色のインクに加え、ブラックのインク、淡シアン（シアンのインクと同系色であって、かつそれよりも濃度が低いインク）および淡マゼンタ（マゼンタのインクと同系色であって、かつそれよりも濃度が低いインク）、そしてさらに、特色インクとしてレッドのインクを用いたシステムに本発明を適用した場合について例示する。なお、淡シアンまたは淡マゼンタの色もしくはそのデータ、また色相をＬｃまたはＬｍとして表すものとする。
【００８９】
これらシアン、マゼンタ、イエロー、ブラック、淡シアン、淡マゼンタおよびレッドの７色のインクを用いるためには、例えば図８〜図１０に示したのと同様な記録へッドカートリッジ構成を採用することができる。しかしインクタンクや記録ヘッドの個数、配列順序などは適宜定め得るのは勿論である。
【００９０】
そして本実施形態では、第１の実施形態と同様、品位情報として「標準」および「きれい」の２種類の選択を可能とする。そして「標準」が選択された場合、４パスで特色（レッド）を使用しない６色（イエロー、マゼンタ、シアン、ブラック、淡シアンおよび淡マゼンタ）のモードとなり、これが第１の記録モードに相当するものとする。また、品位情報として「きれい」が選択された場合、８パスで特色（レッド）も使用した７色のモードとなり、これが第２の記録モードに相当するものとする。このように本実施形態では、記録モードの選択がユーザによる品位情報の選択によりなされ、「主走査の回数に対応した情報」とは、本実施形態でも主走査の回数と対応づけられた品位情報のことである。そして本実施形態では、品位情報、パス数および特色使用の有無ないし使用可能なインク色とは表４のように対応づけられている。
【００９１】
【表４】
2005059363.tif 000006
【００９２】
本実施形態においても、第１の実施形態と同様の図１１に示したような処理手順およびプリンタドライバないし画像処理系を用いて制御を行うことができる。すなわち本実施形態の場合、図１１のステップＳ２において、ステップＳ１で取得した主走査の回数に対応した情報（品位情報）に対応する回数が第１の回数（ここでは４回）である場合、ステップＳ３へ進み、特色を不使用とした６色のデータの生成を決定し、一方、ステップＳ１にて取得した情報に対応する回数が第１の回数より多い第２の回数（ここでは８回）である場合、ステップＳ５へ進み、特色を使用する７色のデータの生成を決定するようにすればよい。
【００９３】
すなわちステップＳ３では、主走査の回数が第１の回数（ここでは４回）であるため、言い換えれば、主走査の回数が比較的少ない回数であるため、レッドの特色インクは使用されず、シアン、マゼンタ、イエロー、ブラック、淡シアンおよび淡マゼンタのインクが使用されるようにデータ生成を行えばよい。詳しくは、図４に示される後段処理Ｊ０００３にて、ＲＧＢの多値データがＣＭＹＫＬｃＬｍの６色に対応した多値データに変換され、これにより、パス数が比較的少ない第１の記録モードにて使用可能なインクの色に対応したデータ（ＣＭＹＫＬｃＬｍデータ）の生成がなされるようにする。その後、γ補正処理Ｊ０００４、ハーフトーン処理Ｊ０００５等を経て、ＣＭＹＫＬｃＬｍの６色に対応した２値データが生成され、ステップＳ４にて、当該２値データに基づき、図１３に示されるように記録媒体の同一領域に対して記録ヘッドを第１の回数（４回）だけ主走査させて記録媒体に記録を行うようにすればよい。
【００９４】
一方、ステップＳ５では、主走査の回数が第１の回数よりも多い第２回数（ここでは８回）であるため、言い換えれば、主走査の回数が比較的多い回数であるため、シアン、マゼンタ、イエロー、ブラック、淡シアンおよび淡マゼンタのインクに加え、レッドの特色インクも使用されるようにデータ生成を行えばよい。詳しくは、図４に示される後段処理Ｊ０００３にて、ＲＧＢの多値データがＣＭＹＫＬｃＬｍＲの７色に対応した多値データに変換され、これにより、パス数が比較的多い第２の記録モードにて使用可能なインクの色に対応したデータ（ＣＭＹＫＬｃＬｍＲのデータ）の生成がなされる。その後、γ補正処理Ｊ０００４、ハーフトーン処理Ｊ０００５等を経て、ＣＭＹＫＲＧＢの７色に対応した２値データが生成され、ステップＳ６にて、当該２値データに基づき、図１４に示されるように記録媒体の同一領域に対して記録ヘッドを第１の回数より多い第２の回数（８回）だけ主走査させて記録媒体に記録を行うようにすればよい。
【００９５】
このように、特色としてレッドのインクが使用される場合でも、第１の実施形態とほぼ同様の効果を得ることが可能となる。
【００９６】
（第５の実施形態）
上記第４の実施形態と同様、上述した７色のインクによる記録が可能な装置構成を用い、品位情報としては第２の実施形態と同様、「標準」および「きれい」に加え、さらに「はやい」を含めた３種類の選択を可能とする。そして「標準」が選択された場合、および「きれい」が選択された場合のパス数および使用インク色は第４の実施形態と同様とする。また、「はやい」が選択された場合は、３パスで淡色および特色を使用しない４色（イエロー、マゼンタ、シアンおよびブラック）の記録モードとする。本実施形態でも「主走査の回数に対応した情報」とは、主走査の回数と対応づけられた品位情報のことである。そして本実施形態では、品位情報、パス数および特色や淡色の使用の有無ないし使用可能なインク色とは表５のように対応づけられている。
【００９７】
【表５】
2005059363.tif 000007
【００９８】
本実施形態においても、第２の実施形態と同様の図１５に示したような処理手順およびプリンタドライバないし画像処理系を用いて制御を行うことができる。すなわち本実施形態の場合、図１５のステップＳ１２において、ステップＳ１１で取得した主走査の回数に関する情報（品位情報）に基づき、生成すべきインク色のデータを決定して記録が行われるよう分岐判断を行う。詳しくは、ステップＳ１１にて取得した情報に対応する回数が所定の回数（ここでは４回）以下である（すなわち４回または３回）場合、モードに応じてステップＳ１３またはＳ１７へ進み、特色を不使用とした６色のデータまたはさらに淡色をも不使用とした４色のデータをそれぞれの生成を決定し、一方、ステップＳ１１にて取得した情報に対応する回数が所定の回数より多い回数（ここでは８回）である場合、ステップＳ１５へ進み、特色を使用する７色のデータの生成を決定するようにすればよい。つまり、ステップＳ１１にて取得した品位情報が「はやい」あるいは「標準」であれば、ステップＳ１７またはＳ１３へ進み、ステップＳ１１にて取得した品位情報が「きれい」であれば、ステップＳ５へ進むように分岐判断を行うようにすればよい。
【００９９】
品位情報が「標準」である場合の処理および「きれい」である場合の処理は、上記第４実施形態とそれぞれ同様である。
【０１００】
品位情報が「はやい」である場合は、主走査の回数が所定の回数以下（ここでは３回）であるため、レッドの特色インクおよび淡色（淡シアンおよび淡マゼンタ）のインクは使用されず、シアン、マゼンタ、イエローおよびブラックのインクが使用されるように、ステップＳ１７にてデータ生成を行うようにすればよい。詳しくは、図４に示される後段処理Ｊ０００３にて、ＲＧＢの多値データがＣＭＹＫの４色に対応した多値データに変換される。これにより、パス数が比較的少ない第１の記録モードにて使用可能なインクの色に対応したデータ（ＣＭＹＫデータ）の生成がなされる。その後、γ補正処理Ｊ０００４、ハーフトーン処理Ｊ０００５等を経て、ＣＭＹＫの４色に対応した２値データが生成され、ステップＳ１８にて、当該値データに基づき、記録媒体の同一領域に対して記録ヘッドを上記取得した情報に対応した回数（３回）だけ主走査させて記録媒体に記録を行うようにすればよい。  
本実施形態によれば、上記第２実施形態とほぼ同様の効果を得ることができる。
【０１０１】
（第６の実施形態）
上記第５の実施形態と同様、シアン、マゼンタ、イエロー、ブラック、淡シアン、淡マゼンタおよびレッドの７色のインクによる記録が可能な装置構成を用い、品位情報としても上記３種類のいずれかの選択を可能とし、当該選択に応じたパス数および使用インク色も第５の実施形態と同様とする。また第３の実施形態と同様に、記録媒体の種類に関する情報に応じて、選択できる品位情報の種類が変更されるようにする。本実施形態では「主走査の回数に対応した情報」とは、主走査の回数と対応づけられた品位情報および記録媒体の種類の情報のことである。そして本実施形態では、記録媒体、品位情報、パス数および特色使用の有無ないし使用可能なインク色とは表６のように対応づけられている。
【０１０２】
【表６】
2005059363.tif 000008
【０１０３】
本実施形態においては、第３の実施形態とほぼ同様の図１６に示したような処理手順およびプリンタドライバないし画像処理系を用いて制御を行うことができる。ここで本例の場合は、図１６のステップＳ１０において、プリンタドライバのプロパティ画面上で表６に示されるような記録媒体の種類選択のための表示が行われるようにすればよい。すなわちプロパティ画面は、選択可能な記録媒体の種類として、キヤノン株式会社製の「プロフォトペーパー」など発色性の良い「高品質紙Ａ」、同じく「スーパーフォトペーパー」などの「高品質紙Ｂ」、オーバヘッドプロジェクタなどに使用される透明のプラスチックシートである「ＯＨＰシート」、および「インクジェット葉書」に対応したラジオボタンを表示するようにすればよい。記録媒体の種類すなわち特性に応じて選択できる品位情報の種類を表６のように異ならせることができることは第３の実施形態と同様である。
【０１０４】
また、これらのように記録媒体および品位が選択された以降の処理は第５の実施形態とほぼ同様であるが、「はやい」が選択されている場合にはさらに、選択された記録媒体が「ＯＨＰシート」または「インクジェット葉書」であるか、「高品質紙Ｂ」であるかによって処理を分岐し、後者である場合には６色のインクを用いた３パス記録が行われるようにデータ生成等を行えばよい。  
本実施形態によれば、上述の第３の実施形態とほぼ同様の効果を得ることができる。
【０１０５】
（その他の実施形態）
上記第１〜第６の実施形態において「主走査の回数に対応した情報」とは、品位情報と記録媒体の種類の情報との少なくとも一方に関連して対応づけられる情報であるが、本発明はこれには限られず、主走査の回数を直接指示する情報（４回，８回のような数値情報）であってもよい。すなわち、本発明における「主走査の回数に関する情報」とは、主走査の回数を直接的に示す情報であっても、上述の実施形態のように間接的に示す情報のいずれであってもよいのである。
【０１０６】
また、上記第１〜第６の実施形態では、主走査の回数の具体的数値として３回、４回および８回の場合を説明したが、これらの数値はあくまでも例示であって、これらの数値によって本発明が限定されることはないのは勿論である。また、同様に、記録モードの数も何ら限定されるものではなく、もっと多くの記録モードを設けても良い。また、上記第１〜第６の実施形態では、シアン、マゼンタ、イエローの３原色のインク、ブラックインクおよび少なくとも１つの特色インクを備える構成について説明したが、ブラックインクを備えていなくとも良い。すなわち、シアン、マゼンタ、イエローの３原色のインクと少なくとも１つの特色インクを備えていれば足りる。
【０１０７】
また、本発明において備えられる少なくとも１つの特色とは、基本的には減法混色の３原色であるイエロー、マゼンタ、シアンの３色とは異なる色相の色であるが、好ましくは、図１８に示すように、ＣＩＥ−Ｌ＊ａ＊ｂ＊色空間においてシアンの色相角とマゼンタの色相角との間の色相角を示すブルーのインク、シアンの色相角とイエローの色相角との間の色相角を示すグリーンのインク、および、イエローの色相角とマゼンタの色相角との間の色相角を示すレッドのインクのうちの少なくとも１つである。
【０１０８】
さらに、上記第１〜第６の実施形態では、主走査の回数に関する情報である品位情報や記録媒体の種類に関する情報をプリンタドライバのプロパティ画面にて選択するものとしたが、本発明はこれには限られず、記録装置側でそのような選択を可能とする構成であってもよい。すなわち、例えば、上述のように直接または間接的に主走査回数（パス数）を選択するための入力手段を記録装置に設け、ユーザがこれを適宜操作して選択設定を行うようにすることもできる。これによれば、ホスト装置側にグラフィカル・ユーザインターフェース（ＧＵＩ）機能を持たないシステムであっても、容易に同等の機能を実現できるものである。また、その処理を行うためのプログラムについても、必ずしもプリンタに予め組み込まれるものでなくてもよく、ホスト装置側のプリンタドライバより適宜供給されるものでもよい。
【０１０９】
さらに、上述した実施形態の機能を実現するソフトウェアまたはプリンタドライバのプログラムコードを、記録装置を含む様々なデバイスが接続された機械またはシステム内のコンピュータに供給し、機械またはシステムのコンピュータに格納されたプログラムコードによって様々なデバイスを作動させることにより上述実施形態の機能を実現するようにしたプリントシステムも、本発明の範囲に含まれる。
【０１１０】
この場合、プログラムコード自体が本発明の新規な機能を実現することになり、そのプログラムコード自体、および通信や記憶媒体などによりプログラムコードをコンピュータに供給する手段も、本発明の範囲に含まれる。
【０１１１】
プログラムコードを供給するための記憶媒体としては、例えば、フレキシブルディスクやＣＤ−ＲＯＭのほか、ハードディスク、光ディスク、光磁気ディスク、ＣＤ−Ｒ、ＤＶＤ、磁気テープ、不揮発性のメモリカード、ＲＯＭなどを用いることができる。
【０１１２】
また、コンピュータが読み出したプログラムコードを実行することにより、前述した実施形態の機能が実現されるだけでなく、そのプログラムコードの指示に基づき、コンピュータ上で稼動しているＯＳなどが実際の処理の一部または全部を行い、その処理によって本実施形態の機能が実現される場合も含まれる。
【０１１３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって本実施形態の機能が実現される場合も含まれる。
【０１１４】
さらに加えて、プリントシステムの形態としては、パーソナルユースのものであるかあるいは業務ないし産業用のものであるかを問わず、コンピュータ，スキャナ，デジタルカメラ等の画像データ供給装置と、画像出力端末としてのプリント装置とを有するもののほか、例えばスキャナとプリント装置とが一体となった複写機、データ送受信装置とプリント装置とが一体となったファクシミリ装置、プリント装置を一体に有するワードプロセッサや電子タイプライタ、プリント装置を一体化したデジタルカメラなどの形態であってもよい。
【０１１５】
（インク）
本発明の実施形態に好ましく適用できる基本色であるイエロー、マゼンタ、シアンおよびブラックのインクと、特色であるレッド、グリーンおよびブルーのインクについて例示する。それらのインクは、必須の構成要件として色材を含む。
【０１１６】
本発明に用いられるインクの色材としては、一般的に用いられている染料や顔料などの公知の色材であっても、新規に合成された色材であっても、本発明の範囲内で適宜選択して用いることができる。
【０１１７】
本実施形態において基本色（イエロー、マゼンタおよびシアンの三原色にブラックを加えたもの）のインクに用いる色材としては染料もしくは顔料を用いることができる。中でも、染料は明度の高い色の再現に優れるために好適に用いることができる。同じく特色（レッド、グリーンおよびブルー）のインクに用いる色材としても、染料もしくは顔料を用いることができる。中でも、染料は明度の高い色の再現に優れるために好適に用いることができる。
【０１１８】
とりわけ、色材が記録媒体表面に凝集するインク（顔料系のインクはその傾向が強い）よりも、付着したインクが記録媒体に浸透して行くインク（染料系のインクはその傾向が強い）を用いることが強く好ましい。前者では入射光が後から付着した最上部のインク層でほとんど反射されてしまうのに対し、後者では入射光が記録媒体内部に形成される各色インク層で反射されるため、立体感および透明感を訴える効果が期待できるからである。さらに、フォト出力に多用される光沢紙や光沢フィルムなどの光沢媒体にインク液滴を付与した際に、色材がインク受容層内で定着し、媒体表面の印字部と非印字部の表面状態が維持されるために光沢感が失われず、銀塩写真に匹敵する高い質感を有する画像を形成することができるために好ましい。
【０１１９】
さらに好ましい形態としては、本発明では基本色であるイエロー、マゼンタ、シアン用色材として染料、とりわけ酸性染料、直接染料を用いることが好ましい。とりわけ酸性染料、直接染料は、普通紙、あるいは光沢紙、コート紙、光沢フィルムと呼ばれるような、表面にコート層あるいはインク受容層を有する特殊媒体等、各種の被記録媒体で良好な発色を得ることができるため、本発明に好適に用いることができるのである。
【０１２０】
また、特色インクは、基本色の組み合わせにより表現される色再現領域よりも明度の高い色を表現できるインクを用いることにより、特色の追加によって色域拡大されたインパクトのある画像形成を効果的に表現できるために好ましい。
【０１２１】
すなわち、例えばイエローのインク、マゼンタのインク、および特色インクを用いて画像を形成する場合において、ＣＩＥ−Ｌ＊ａ＊ｂ＊色空間上で特色インクで記録媒体上に表現される色が、少なくとも任意のイエローのインクとマゼンタのインクとの組み合わせにより記録媒体上に表現される色再現領域よりも明度が高く、かつ、特色インクで被記録媒体上に表現される色の色相角が、前記色再現領域内にあるようなレッドであることである。また、特色インクである当該レッドインクで記録媒体上に表現される色が、色再現領域よりも彩度が高い色であることが好ましい。
【０１２２】
図１９は、この条件を説明するために特色インクの色である当該レッド、イエローとマゼンタとの混色で形成される色、および、ポジティブフィルムで表現される色の、明度（Ｌ＊）と彩度（ｃ＊；ｃ＊＝（ａ＊２＋ｂ＊２）１／２）との関係を模式的に示した図である。このように、明度の高い色を表現できるインクを用いることにより、オレンジないしレッド領域での色の鮮やかさが増し、記録画像の透明感や立体感を表現できるようになる。一方、明度が低い場合には、たとえオレンジないしレッド領域の彩度が広がったとしても、鮮やかさに欠け、コントラストや立体感に欠ける記録画像しか得られず、目標とするポジフィルムに匹敵する画像を出力することは困難となる。上記条件は、イエローのインクおよびシアンのインクとグリーンのインクとの関係、並びにマゼンタのインクおよびシアンのインクとブルーのインクとの関係においても同様である。
【０１２３】
イエロー、マゼンタ、シアン、ブラック、レッド、グリーンおよびブルーのインクを用いる本実施形態において、これら基本色インクおよび特色インクの色材の具体例としては以下のものが挙げられ、上記条件に適合するものを選択することができる。
【０１２４】
シアン色材
Ｃ．Ｉ．ダイレクトブルー：１、１５、２２、２５、４１、７６、７７、８０、８６、９０、９８、１０６、１０８、１２０、１５８、１６３、１６８、１９９、２２６、３０７
Ｃ．Ｉ．アシッドブルー：１、７、９、１５、２２、２３、２５、２９、４０、４３、５９、６２、７４、７８、８０、９０、１００、１０２、１０４、１１２、１１７、１２７、１３８、１５８、１６１、２０３、２０４、２２１、２４４
【０１２５】
イエロー色材
Ｃ．Ｉ．ダイレクトイエロー：８、１１、１２、２７、２８、３３、３９、４４、５０、５８、８５、８６、８７、８８、８９、９８、１００、１１０、１３２、１７３
Ｃ．Ｉ．アシッドイエロー：１、３、７、１１、１７、２３、２５、２９、３６、３８、４０、４２、４４、７６、９８、９９
【０１２６】
マゼンタ色材
Ｃ．Ｉ．ダイレクトレッド：２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０
Ｃ．Ｉ．アシッドレッド：６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９
Ｃ．Ｉ．フードレッド：８７、９２、９４
Ｃ．Ｉ．ダイレクトバイオレット１０７
この他に、特許文献３に記載されている構造の化合物等も用いることができる。
【０１２７】
ブラック色材
Ｃ．Ｉ．ダイレクトブラック：１７、１９、２２、３１、３２、５１、６２、７１、７４、１１２、１１３、１５４、１６８、１９５
Ｃ．Ｉ．アシッドブラック：２、４８、５１、５２、１１０、１１５、１５６
Ｃ．Ｉ．フードブラック１、２
カーボンブラック
この他に特許文献４に記載されている構造の化合物等も用いることができる。
【０１２８】
レッド色材
Ｃ．Ｉ．アシッドオレンジ７、１０、３３、５６、６７、７４、８８、９４、１１６、１４２
Ｃ．Ｉ．アシッドレッド１１１、１１４、２６６、３７４
Ｃ．Ｉ．ダイレクトオレンジ２６、２９、３４、３９、５７、１０２、１１８
Ｃ．Ｉ．フードイエロー３
Ｃ．Ｉ．リアクティブオレンジ１、４、５、７、１２、１３、１４、１５、１６、２０、２９、３０、８４
Ｃ．Ｉ．ディスパースオレンジ１、３、１１、１３、２０、２５、２９、３０、３１、３２、４７、５５、５６
または、上記イエロー色材とマゼンタ色材を適切に混合したもの等も用いることができる。
【０１２９】
グリーン色材
Ｃ．Ｉ．アシッドグリーン５、６、９、１２、１５、１６、１９、２１、２５、２８、８１、８４
Ｃ．Ｉ．ダイレクトグリーン２６、５９、６７
Ｃ．Ｉ．フードグリーン３
Ｃ．Ｉ．リアクティブグリーン５、６、１２、１９、２１
Ｃ．Ｉ．ディスパースグリーン６、９
または、上記イエロー色材とシアン色材を適切に混合したもの等も用いることができる。
【０１３０】
ブルー色材
Ｃ．Ｉ．アシッドブルー６２、８０、８３、９０、１０４、１１２、１１３、１４２、２０３、２０４、２２１、２４４
Ｃ．Ｉ．リアクティブブルー４９
Ｃ．Ｉ．ピグメントブルー15：6
Ｃ．Ｉ．アシッドバイオレット１９、４８、４９、５４、１２９
Ｃ．Ｉ．ダイレクトバイオレット９、３５、４７、５１、６６、９３、９５、９９
Ｃ．Ｉ．リアクティブバイオレット１、２、４、５、６、８、９、２２、３４、３６
Ｃ．Ｉ．ディスパースバイオレット１、４、８、２３、２６、２８、３１、３３、３５、３８、４８、５６
または、上記マゼンタ色材とシアン色材を適切に混合したもの等も用いることができる。
【０１３１】
インク中に含有させる上記色材の含有量としては、インク全質量に対して０．１〜１５質量％とすることが好ましい。また、インク中に含有させる色材は単独でも、あるいは上述のように２種以上を混合して用いることも可能である。また、特色インクに用いる色材についても、単独の色材、類似の色相を持つ２種以上の色材を混合したもの、あるいはイエロー、マゼンタおよびシアンの色相を持つ色材を混合したもの等、本発明の範囲内で適宜選択して用いることができる。
【０１３２】
さらに必要に応じて、例えばパーソナルユースのインクジェット記録装置で用いるインクでは、キャリア成分としての水のほか、信頼性の面から乾燥防止のための水溶性有機溶剤や保湿剤、界面活性剤、ｐＨ調整剤、防腐剤などを含むものとすることができる。
【０１３３】
この水溶性有機溶剤としては、水溶性を示すものであれば特に制限はなく、アルコール、多価アルコール、ポリグリコール、グリコールエーテル、含窒素極性溶媒、含硫黄極性溶媒、尿素類、糖類およびこれらの誘導体など、一般的にインクジェット用インクの溶剤として用いられているものであれば、問題なく使用することができる。これらの溶剤はインクの保湿性維持や色材の溶解性、分散性の向上、インクの記録紙への浸透剤などの用途として用いられる。また、これらの溶剤は単独でも複数を組み合わせて用いることもできる。
【０１３４】
水溶性有機溶剤の含有量は、一般にはインク全体の１〜５０質量％の範囲が好ましく、より好ましくは３〜４０質量％の範囲である。また、インク中の水の含有量は、染料の溶解性やインクの吐出安定性を良好に保つために、３０〜９５質量％の範囲が好ましい。
【０１３５】
また、界面活性剤としては、脂肪酸塩類、高級アルコール硫酸エステル塩類、液体脂肪油硫酸エステル塩類、アルキルアリルスルホン酸塩類等の陰イオン界面活性剤、ポリオキシエチレンアルキルエーテル類、ポリオキシエチレンアルキルエステル類、ポリオキシエチレンソルビタンアルキルエステル類、アセチレンアルコール、アセチレングリコール等の非イオン性界面活性剤があり、これらの１種または２種以上を適宜選択して使用できる。上記した中でも、特にアセチレンアルコール類や、アセチレングリコール類が普通紙への浸透性に優れた効果を発揮するために好適に用いることができる。その使用量は、界面活性剤の種類により異なるが、インク全量に対して、０．０１〜５質量％が望ましい。この際、インクの２５℃における表面張力は１０ｍＮ／ｍ（ｄｙｎ／ｃｍ）以上が好ましく、より好ましくは２０ｍＮ／ｍ以上となるように、また表面張力が６０ｍＮ／ｍ以下となるように活性剤の添加する量を決定することが好ましい。なぜなら、本発明で使用するインクジェット記録方式においては、ノズル先端の濡れによる印字ヨレ（インク滴の着弾点のズレ）等の発生を有効に抑えることができるからである。
【０１３６】
また、インクはインクジェット記録装置で良好な吐出特性を得るために、所望の粘度やｐＨを有するように調整することが好ましい。
【０１３７】
（記録媒体）
本発明に用いることのできる記録媒体としては、普通紙、あるいは光沢紙、コート紙、光沢フィルムと呼ばれるような、表面にコート層あるいはインク受容層を有する特殊媒体等、一般的に用いられている記録媒体を用いることができる。これらの中でも、より鮮やかさ、コントラスト、透明感の高い画像が得られる記録媒体の一例として、基材上に親水性の多孔質粒子層、多孔質高分子層等を有する特殊媒体を挙げることができる。本発明で用いられる記録媒体としての特殊媒体の例をさらに詳述すると、染料や顔料などの色材をインク受容層内の親水性多孔質構造を形成する微粒子に吸着させて、少なくともこの吸着した色材によって画像が形成される記録媒体であり、インクジェット法を利用する場合には特に好適である。このような記録媒体としては支持体上のインク受容層に形成された空隙によりインクを吸収するいわゆる吸収タイプであることが好ましい。
【０１３８】
吸収タイプのインク受容層は、微粒子を主体とし、必要に応じてバインダーやその他の添加剤を含有する親水性多孔質層として構成される。微粒子の例としては、シリカ、クレー、タルク、炭酸カルシウム、カオリン、アルミナあるいはアルミナ水和物等の酸化アルミニウム、珪藻土、酸化チタン、ハイドロタルサイト、酸化亜鉛等の無機顔料や尿素ホルマリン樹脂、エチレン樹脂、スチレン樹脂等の有機顔料が挙げられ、これらの１種以上が使用される。
【０１３９】
バインダーとして好適に使用されているものには水溶性高分子やラテックスを挙げることができる。例えば、ポリビニルアルコールまたはその変性体、澱粉またはその変性体、ゼラチンまたはその変性体、アラビアゴム、カルボキシメチルセルロース、ヒドロキシエチルセルロース、ヒドロキシプロオイルメチルセルロースなどのセルロース誘導体、ＳＢＲラテックス、ＮＢＲラテックス、メチルメタクリレート-ブタジエン共重合体ラテックス、官能基変性重合体ラテックス、エチレン酢酸ビニル共重合体などのビニル系共重合体ラテックス、ポリビニルピロリドン、無水マレイン酸またはその共重合体、アクリル酸エステル共重合体などが使用され、必要に応じて２種以上を組み合わせて用いることができる。その他、添加剤を使用することもでき、例えば、必要に応じて分散剤、増粘剤、ｐＨ調整剤、潤滑剤、流動性変性剤、界面活性剤、消泡剤、離型剤、蛍光増白剤、紫外線吸収剤、酸化防止剤などが使用される。
【０１４０】
なお、基材上にインク受容層を有さない記録媒体（例えば、普通紙）に対して特色インクを使用することも勿論可能であり、本発明ではこのような形態を排除するものではない。
【図面の簡単な説明】
【０１４１】
【図１】（ａ）および（ｂ）は、マルチパス記録法を採用した場合において、同一領域に対して行われる主走査の回数（パス数）が少ない場合のインクの浸透の状態を説明するための説明図である。
【図２】（ａ）〜（ｅ）は、マルチパス記録法を採用した場合において、同一領域に対して行われる主走査の回数（パス数）が多い場合のインクの浸透の状態を説明するための説明図である。
【図３】本発明の適用対象の一例であるプリントシステムのハードウェア構成を示すブロック図である。
【図４】本発明の適用対象の一例であるプリントシステムを画像データの流れに沿って示した機能ブロック図である。
【図５】本発明の実施形態における記録装置の斜視図である。
【図６】本発明の実施形態における記録装置の機構部の斜視図である。
【図７】本発明の実施形態における記録装置の断面図である。
【図８】本発明の実施形態で適用したヘッドカートリッジにインクタンクを装着する状態を示した斜視図である。
【図９】本発明の実施形態で適用したヘッドカートリッジの分解斜視図である。
【図１０】本発明の実施形態で適用したヘッドカートリッジにおける記録素子基板を示す正面図である。
【図１１】本発明の第１の実施形態における記録処理手順を示すフローチャートである。
【図１２】本発明の第１の実施形態で用いられるプリンタドライバのプロパティ画面の表示例を示す説明図である。
【図１３】マルチパス記録法を採用した場合において、記録媒体の同一領域に対して記録ヘッドを比較的少ない回数だけ主走査させて記録を行う場合の説明図である。
【図１４】マルチパス記録法を採用した場合において、記録媒体の同一領域に対して記録ヘッドを比較的多い回数だけ主走査させて記録を行う場合の説明図である。
【図１５】本発明の第２の実施形態における記録処理手順を示すフローチャートである。
【図１６】本発明の第３の実施形態における記録処理手順を示すフローチャートである。
【図１７】本発明の第３の実施形態で用いられるプリンタドライバのプロパティ画面の表示例を示す説明図である。
【図１８】本発明の実施形態で使用可能な特色を説明するための説明図である。
【図１９】特色インクの色であるレッド、イエローとマゼンタとの混色で形成される色、および、ポジティブフィルムで表現される色の、明度と彩度との関係を模式的に示した図である。
【符号の説明】
【０１４２】
１０００      ホスト装置（コンピュータ）
２０００      記録装置（プリント装置）
Ｊ０００１    アプリケーション
Ｊ０００２    前段処理
Ｊ０００３    後段処理
Ｊ０００４    γ補正
Ｊ０００５    ハーフトーニング
Ｊ０００６    印刷データの作成処理
Ｊ０００７    ドット配置パターン化処理
Ｊ０００８    マスクデータ変換処理
Ｊ０００９    ヘッド駆動回路
Ｊ００１０    記録へッド
Ｍ２０４１    分離ローラ
Ｍ２０８０    給紙ローラ
Ｍ３０００    ピンチローラホルダ
Ｍ３０４０    プラテン
Ｍ３０６０    搬送ローラ
Ｍ３０７０    ピンチローラ
Ｍ３１１０    排紙ローラ
Ｍ３１２０    拍車  
Ｍ３１６０    排紙トレイ
Ｍ４０００    キャリッジ
Ｍ５０００    ポンプ
Ｍ５０１０    キャップ
Ｅ０００２    ＬＦモータ
Ｅ００１４    メイン基板
Ｈ１０００    ヘッドカートリッジ
Ｈ１００１    記録ヘッド
Ｈ１１００    第１の記録素子基板
Ｈ１１０１    第２の記録素子基板
Ｈ１２００    第１のプレート
Ｈ１２０１    インク供給口
Ｈ１３００    電気配線基板
Ｈ１３０１    外部信号入力端子
Ｈ１４００    第２のプレート
Ｈ１５００    タンクホルダー
Ｈ１５０１    インク流路
Ｈ１６００    流路形成部材
Ｈ１７００    フィルター
Ｈ１８００    シールゴム
Ｈ１９００    インクタンク
Ｈ２０００    シアンノズル例
Ｈ２１００    マゼンタノズル列
Ｈ２２００    イエローノズル列
Ｈ２３００    ブラックノズル列
Ｈ２４００    レッドノズル列
Ｈ２５００    グリーンノズル列
Ｈ２６００    ブルーノズル列
【図１】
2005059363.tif 000009
【図２】
2005059363.tif 000010
【図３】
2005059363.tif 000011
【図４】
2005059363.tif 000012
【図５】
2005059363.tif 000013
【図６】
2005059363.tif 000014
【図７】
2005059363.tif 000015
【図８】
2005059363.tif 000016
【図９】
2005059363.tif 000017
【図１０】
2005059363.tif 000018
【図１１】
2005059363.tif 000019
【図１２】
2005059363.tif 000020
【図１３】
2005059363.tif 000021
【図１４】
2005059363.tif 000022
【図１５】
2005059363.tif 000023
【図１６】
2005059363.tif 000024
【図１７】
2005059363.tif 000025
【図１８】
2005059363.tif 000026
【図１９】
2005059363.tif 000027